(57)【要約】【課題】効率良く快適空調ができ、施工が容易で、無駄な設置スペースをとらない空気熱源ヒートポンプ式空調装置を得る。【解決手段】  ヒートポンプ３７を構成する冷媒−給気用空気熱交換器３４と冷媒−熱源用空気熱交換器３５と圧縮機３６とをケーシング３１内に一体に設けて冷媒−給気用空気熱交換器３４を通った給気用空気を供給するＨＰ空調機３０と、ＨＰ空調機３０からの給気用空気で被空調空間Ｓの空気を誘引混合して被空調空間Ｓへ整流状に吹出しかつ誘引混合空気の熱を被空調空間Ｓに放射する誘引放射ユニット１と、を備える。【選択図】図１
2012007766.tif 000002
【特許請求の範囲】
【請求項１】
ヒートポンプ（３７）を構成する冷媒−給気用空気熱交換器（３４）と冷媒−熱源用空気熱交換器（３５）と圧縮機（３６）とをケーシング（３１）内に一体に設けて前記冷媒−給気用空気熱交換器（３４）を通った給気用空気を供給するＨＰ空調機（３０）と、前記ＨＰ空調機（３０）からの前記給気用空気で被空調空間（Ｓ）の空気を誘引混合して前記被空調空間（Ｓ）へ整流状に吹出しかつ誘引混合空気の熱を前記被空調空間（Ｓ）に放射する誘引放射ユニット（１）と、を備えたことを特徴とする空気熱源ヒートポンプ式空調装置。
【請求項２】
ヒートポンプ（３７）を構成する冷媒−給気用空気熱交換器（３４）と冷媒−熱源用空気熱交換器（３５）と圧縮機（３６）とをケーシング（３１）内に一体に設けて前記冷媒−給気用空気熱交換器（３４）を通った給気用空気を被空調空間（Ｓ）へ供給するＨＰ空調機（３０）と、前記ケーシング（３１）内から熱源用空気を屋外へ排気する排気ダクト（５１）と、を備え、前記ＨＰ空調機（３０）と前記排気ダクト（５１）を天井（Ｃ）に設置したことを特徴とする空気熱源ヒートポンプ式空調装置。
【請求項３】
ヒートポンプ（３７）を構成する冷媒−給気用空気熱交換器（３４）と冷媒−熱源用空気熱交換器（３５）と圧縮機（３６）とをケーシング（３１）内に一体に設けて前記冷媒−給気用空気熱交換器（３４）を通った給気用空気を供給するＨＰ空調機（３０）と、前記ＨＰ空調機（３０）からの給気用空気で被空調空間（Ｓ）の空気を誘引混合して前記被空調空間（Ｓ）へ整流状に吹出しかつ誘引混合空気の熱を前記被空調空間（Ｓ）に放射する誘引放射ユニット（１）と、前記ケーシング（３１）内から熱源用空気を屋外へ排気する排気ダクト（５１）と、を備え、前記ＨＰ空調機（３０）と前記排気ダクト（５１）を天井（Ｃ）に設置したことを特徴とする空気熱源ヒートポンプ式空調装置。
【請求項４】
誘引放射ユニット（１）が、ＨＰ空調機（３０）からの給気用空気を送り出す送気部（１１）と、誘引口（１０）を有しこれに前記送気部（１１）の給気用空気が吹き込まれることで被空調空間（Ｓ）の空気を誘引混合して多数の開孔部（９）から前記被空調空間（Ｓ）へ向かって放出する誘引混合放射ケース（１６）と、を備え、この誘引混合放射ケース（１６）の内部に、前記誘引混合空気を分流させて整流状にして前記開孔部（９）を介して前記被空調空間（Ｓ）へ案内すると共に前記誘引混合空気の熱を前記誘引混合放射ケース（１６）に熱伝導させて前記被空調空間（Ｓ）へ熱放射させかつ前記開孔部（９）を通して前記被空調空間（Ｓ）へ熱放射させる放射整流器（２）を、設けた請求項１又は３記載の空気熱源ヒートポンプ式空調装置。
【請求項５】
放射整流器（２）を、帯状の多数の伝熱板（８）…を所定ピッチで面対向させて設けると共に誘引混合空気が分流して前記伝熱板（８）、（８）の隙間を熱伝達しながら整流状に通過するように構成した請求項４記載の空気熱源ヒートポンプ式空調装置。
【請求項６】
誘引放射ユニット（１）が、被空調空間（Ｓ）に露出する開口部（１４）を有するフード（１３）を備え、このフード（１３）の内部に、誘引混合放射ケース（１６）を、これの周側面のうちのすくなくとも対向する二側面から誘引口（１０）までの範囲と前記フード（１３）及び送気部（１１）との間に誘引空気路用の間隔部（１５）を設けるようにして設置し、前記誘引混合放射ケース（１６）に、前記送気部（１１）の給気用空気が吹き込まれる誘引口（１０）を、前記間隔部（１５）を形成する前記対向二側面の中間の中央線（Ｌ）に沿ってライン状に形成し、前記送気部（１１）に、前記給気用空気を吹出す吹出口（１２）を、前記誘引口（１０）に沿ってライン状に形成した請求項４又は５記載の空気熱源ヒートポンプ式空調装置。
【請求項７】
送気部（１１）の内部空間を、吹出口（１２）の長辺方向の風上側から風下側へ向かって縮小させた請求項６記載の空気熱源ヒートポンプ式空調装置。
【請求項８】
送気部（１１）に風向を調整する風向調整機構（Ｇ）を設けた請求項６又は７記載の空気熱源ヒートポンプ式空調装置。
【請求項９】
誘引放射ユニット（１）が、被空調空間（Ｓ）の隅部（Ｍ）又は／及び凹部（Ｎ）に沿って設置され、前記隅部（Ｍ）又は／及び前記凹部（Ｎ）に沿って伸びる細長い全体形状を有し、この全体形状のうちで前記隅部（Ｍ）又は／及び前記凹部（Ｎ）に臨む面（２０）を凸状にした請求項１、３、４、５、６、７又は８記載の空気熱源ヒートポンプ式空調装置。
【発明の詳細な説明】
【技術分野】
【０００１】
本発明は空気熱源ヒートポンプ式空調装置に関するものである。
【背景技術】
【０００２】
冷温水などの熱媒が流れる多数のパイプをパネルに埋め込み、熱放射により被空調空間などを空調する輻射パネルがある。
【０００３】
【特許文献１】特開平７−１９５３３号公報
【発明の開示】
【発明が解決しようとする課題】
【０００４】
この輻射パネルは熱放射による熱移動のみのため空調効率が低く、断熱が悪い所や熱負荷が大きな所、空気の出入りが大きな所など空調に不向きな空間が多く利用範囲が限定され、結露対策なども必要でコスト高となる問題がある。また、マルチエアコンやファンコイルユニットなどの被空調空間空調機は、冷風又は暖風の風速が速くてドラフト感を与え、温度ムラを生じる問題があった。
【課題を解決するための手段】
【０００５】
本発明は上記課題を解決するため、ヒートポンプを構成する冷媒−給気用空気熱交換器と冷媒−熱源用空気熱交換器と圧縮機とをケーシング内に一体に設けて前記冷媒−給気用空気熱交換器を通った給気用空気を供給するＨＰ空調機と、前記ＨＰ空調機からの前記給気用空気で被空調空間の空気を誘引混合して前記被空調空間へ整流状に吹出しかつ誘引混合空気の熱を前記被空調空間に放射する誘引放射ユニットと、を備えたことを最も主要な特徴とする。
【発明の効果】
【０００６】
請求項１の発明によれば、
（１）放射（輻射）エネルギーによる遠距離放射作用と、被空調空間空気の誘引により生じるサーキュレーター作用と、による相乗効果で、被空調空間空気温度分布が均一化され、高効率、高能力でドラフトや温度ムラのない快適空調が行える。そのため、熱放射のみの空調と比べて空調に不向きな空間が少なく利用範囲が広い。
（２）給気用空気と被空調空間空気を混合させるので露点制御が可能で、結露対策のためのドレン処理設備が不要となってコストダウンを図れ、給気用空気の風量当たりの冷房能力又は暖房能力を大きく（給気温度を通常より低温化又は高温化）して給気風量を少なくすることで、送風動力削減とダクト等の設備の小型化によりコストダウンを図れる。たとえば、給気用空気を１３℃過冷却除湿することにより少風量化し、被空調空間空気を誘引混合して再熱することで、被空調空間温湿度２８℃４５％の快適な省エネクールビズ空調ができる。
（３）冷媒−給気用空気熱交換器と冷媒−熱源用空気熱交換器が一体で冷媒配管工事不要のヒートポンプなので施工が容易でコストダウンを図れる。
（４）邸宅やマンションの寝室、ホテルの客室、老人ホームや病院の個室などの空調に最適である。
【０００７】
請求項２の発明によれば、
（１）冷媒−給気用空気熱交換器と冷媒−熱源用空気熱交換器が一体で冷媒配管工事不要の一体型ヒートポンプなので施工が容易でコストダウンを図れる。
（２）天井内空気の利用、又は、ダクトワークで排熱処理ができる。
（３）天井スペースを利用して空調設備を設置できるので、建物屋上スペースに室外機などの設置が不要となる。そのため、ＨＰ空調機への雷やノイズの影響が少なく、屋上スペースの多目的活用が可能となる。
（４）邸宅やマンションの寝室、ホテルの客室、老人ホームや病院の個室などの空調に最適である。
【０００８】
請求項３の発明によれば、
（１）放射（輻射）エネルギーによる遠距離放射作用と、被空調空間空気の誘引により生じるサーキュレーター作用と、による相乗効果で、被空調空間空気温度分布が均一化され、高効率、高能力でドラフトや温度ムラのない快適空調が行える。そのため、熱放射のみの空調と比べて空調に不向きな空間が少なく利用範囲が広い。
（２）給気用空気と被空調空間空気を混合させるので露点制御が可能で、結露対策のためのドレン処理設備が不要となってコストダウンを図れ、給気用空気の風量当たりの冷房能力又は暖房能力を大きく（給気温度を通常より低温化又は高温化）して給気風量を少なくすることで、送風動力削減とダクト等の設備の小型化によりコストダウンを図れる。たとえば、給気用空気を１３℃過冷却除湿することにより少風量化し、被空調空間空気を誘引混合して再熱することで、被空調空間温湿度２８℃４５％の快適な省エネクールビズ空調ができる。
（３）冷媒−給気用空気熱交換器と冷媒−熱源用空気熱交換器が一体で冷媒配管工事不要のヒートポンプなので施工が容易でコストダウンを図れる。
（４）天井スペースを利用して空調設備を設置できるので、建物屋上スペースに室外機などの設置が不要となる。そのため、ＨＰ空調機への雷やノイズの影響が少なく、屋上スペースの多目的活用が可能となる。
（５）邸宅やマンションの寝室、ホテルの客室、老人ホームや病院の個室などの空調に最適である。
【０００９】
請求項４の発明によれば、
（１）従来の輻射パネルではパネル面からの熱放射のみであるが、本発明では誘引混合放射ケースからの熱放射に加えて、開口部を介して放射整流器からも被空調空間へ熱放射するので、放射エネルギーを高比率で遠距離まで到達させることができる。この遠距離放射作用と、誘引混合空気が天井近くに滞留しないように被空調空間との温度差を少なくして整流状に放出することで生じる遠距離かつ広範囲な熱伝達作用と、被空調空間空気の誘引により生じるサーキュレーター作用と、による相乗効果で、被空調空間空気温度分布が均一化され、高効率、高能力でドラフトや温度ムラのない快適空調が行える。
（２）従来の輻射パネルは熱放射のために熱源水を用いているが、本発明では給気用空気を放射熱源としているので水漏れ事故の心配がなくて設備が簡略化でき、送風動力無しでサーキュレーター効果を得られ、運転コストを低減できる。
【００１０】
請求項５の発明によれば、
（１）伝熱板にて誘引混合空気の熱を効率良く確実に放射整流器全域に熱伝達させて、誘引混合放射ケースに均一に熱伝導させることができ、常時安定した熱放射が行える。
（２）伝熱板にて誘引混合空気を整流状に放出でき、被空調空間空気温度分布の均等化を図れる。
【００１１】
請求項６の発明によれば、
（１）誘引混合空気を、誘引混合放射ケースの中央線沿いに送り、放射整流器を通して被空調空間へ出すので、放射整流器全域に誘引混合空気を、偏在やバイパスなしに確実に分流して整流状に流しかつ誘引混合放射ケース全域に均一に熱伝導させることができ、ユニット当りの有効空調範囲が広く空調効率の向上を図れる。
（２）送気部の吹出口が一つで済み、構造を簡素化でき製作が容易である。
【００１２】
請求項７の発明によれば、
（１）送気部の内部空間を吹出口の長辺方向の風上側から風下側へ向かって縮小させてあるので、吹出口の長辺方向全域で風量、風速を均一化できてバラツキを生じない。そのため、誘引ムラが無くてサーキュレーター効果が高く、均等に誘引空気を混合できて、誘引混合放射ケースから放出される空気の温度ムラがなく、安定した快適空調が行える。
【００１３】
請求項８の発明によれば、
（１）風向調整機構により誘引混合空気の風向きを調整して、気流の方向と分布を均一化し、空調効率の向上を図れる。
【００１４】
請求項９の発明によれば、
（１）凸状の部位を被空調空間の隅部又は／及び凹部の空スペースを利用して納めることができるので、被空調空間に設置しても邪魔にならず、余分で無駄な設置スペースが不要となる。
（２）凸状の部位が、被空調空間の隅部又は／及び凹部に嵌合するので施工が容易で、ガタツキなく取付できる。
（３）全体形状が細長で被空調空間を少ない数のユニットで広範囲に空調できる。
【実施例】
【００１５】
図１〜図３は、本発明の空気熱源ヒートポンプ式空調装置の一実施例を示しており、この空気熱源ヒートポンプ式空調装置は、ヒートポンプ３７を構成する冷媒−給気用空気熱交換器３４と冷媒−熱源用空気熱交換器３５と圧縮機３６とをケーシング３１内に一体に設けて冷媒−給気用空気熱交換器３４を通った給気用空気を供給するＨＰ空調機３０と、冷媒−給気用空気熱交換器３４を通った給気用空気に加湿する蒸気方式の加湿器４５と、ＨＰ空調機３０からの給気用空気で被空調空間Ｓの空気を誘引混合して被空調空間Ｓへ整流状に吹出しかつ誘引混合空気の熱を被空調空間Ｓに放射する誘引放射ユニット１と、ケーシング３１内へ熱源用空気を案内する給気ダクト５０と、ケーシング３１内から熱源用空気を屋外へ排気する排気ダクト５１と、を備え、ＨＰ空調機３０、給気ダクト５０及び排気ダクト５１を天井Ｃに設置する。なお、各図における実線及び点線の太矢印は風向を示す。
【００１６】
被空調空間Ｓは、例えば、邸宅やマンションの寝室、ホテルの客室、老人ホームや病院の個室、その他各種室内である。図例では、被空調空間Ｓはホテルの客室を例示し、熱源用空気は外気、給気用空気は還気を各々例示するが、これに限定されるものでなく変更は自由である。また、図例では、ＨＰ空調機３０、給気ダクト５０及び排気ダクト５１を天井内（天井裏）に隠ぺい設置しているが、被空調空間Ｓに露出した状態で天井Ｃに設けるも自由である。ＨＰ空調機３０のケーシング３１内には、冷媒−給気用空気熱交換器３４を設けた給気側送風路３２と、冷媒−熱源用空気熱交換器３５を設けた熱源側送風路３３と、を備える。給気側送風路３２と熱源側送風路３３は、給気用空気と熱源用空気が屈曲して流れるように仕切板などで区画形成する。このようにして給気側送風路３２と熱源側送風路３３の送風距離を長くしてあるのでＨＰ空調機をコンパクトにしつつ低騒音化を図れる。なお、給気側送風路３２と熱源側送風路３３を図例以外の形状・構造にするも自由である。
【００１７】
ケーシング３１には、給気用空気入口４０、給気用空気出口４１、熱源用空気入口４２及び熱源用空気出口４３を形成し、給気用空気入口４０と給気用空気出口４１を給気側送風路３２にて連通連結し、熱源用空気入口４２と熱源用空気出口４３を熱源側送風路３３にて連通連結する。給気用空気入口４０は吸込口等を介して被空調空間Ｓと連通連結し、給気用空気出口４１はダクト等の送風路１７と誘引放射ユニット１を介して被空調空間Ｓと連通連結する。熱源用空気入口４２は給気ダクト５０を、熱源用空気出口４３は排気ダクト５１を、それぞれ介して屋外と連通連結する。給気側送風路３２には給気用空気送風機３８を、熱源側送風路３３には熱源用空気送風機３９を、各々設ける。なお、誘引放射ユニット１の設置位置の変更は自由で図例に限定されるものではない。また、図例では誘引放射ユニット１はダクトで給気用空気出口４１と連通連結されているが、ダクトを省略してケーシング３０に誘引放射ユニット１を直結するも自由である。
【００１８】
給気ダクト５０及び排気ダクト５１と屋外とを連通連結する空気出入口にはダンパ４７を設ける。図例では、排気ダクト５１に屋外排気用送風機４８をブースターとして設けて、多数のＨＰ空調機３０からの熱源用空気を排気し、給気ダクト５０を介して、熱源用空気を屋外からＨＰ空調機３０へ自然導入しているが適宜省略するも自由である。図示省略するが、誘引放射ユニット１を省略して給気用空気出口４１をダクトや吹出口等を介して被空調空間Ｓと連通連結するも自由である。また、給気ダクト５０を省略して天井Ｃ区画を利用し、熱源用空気を屋外からＨＰ空調機３０へ自然導入するも自由である。
【００１９】
ヒートポンプ３７は、循環冷媒に対して圧縮・凝縮・膨張・蒸発の工程順を繰返し、この循環冷媒と熱交換する空気に対して冷媒蒸発工程で吸熱を冷媒凝縮工程で放熱を各々行うもので、循環冷媒の蒸発工程と凝縮工程であって互いに異なる工程を行う冷媒−給気用空気熱交換器３４及び冷媒−熱源用空気熱交換器３５と、循環冷媒を圧縮する圧縮機３６と、循環冷媒を膨張させる図示省略の膨張弁等の減圧機構と、冷媒−給気用空気熱交換器３４及び冷媒−熱源用空気熱交換器３５の蒸発工程と凝縮工程を切換える図示省略のバルブ等の切換機構と、を少なくとも備え、これらを冷媒が循環するように配管接続して成る。給気用空気入口４０から取入れた給気用空気（還気）は冷媒−給気用空気熱交換器３４で熱交換されて冷風又は温風として給気用空気出口４１から供給され、熱源用空気入口４２から取入れられた熱源用空気（外気）は冷媒−熱源用空気熱交換器３５の循環冷媒を熱交換されて吸熱又は放熱され、熱源用空気出口４３から排気される。
【００２０】
ヒートポンプ３７は、図示省略のフレームなどに一体に設けて、ケーシング３１に対して取出・収納自在に構成するも自由であり、ケーシング全体を取り外すことなくヒートポンプ３７のみをケーシング３１から取出して冷媒回収作業やメンテナンスを容易に行え、取付け収納にも手間がかからない。また、ヒートポンプ３７だけ交換することにより、リニューアル時のコストダウンも図れる。冷媒−給気用空気熱交換器３４及び冷媒−熱源用空気熱交換器３５の伝熱管は楕円管にするのが好ましいが円形管でもよい。
【００２１】
図示省略するがＨＰ空調機３０にダンパを適宜設けて、冷媒−熱源用空気熱交換器３５に外気が通って冷媒−給気用空気熱交換器３４に還気が通る循環空調、冷媒−熱源用空気熱交換器３５に外気が通って冷媒−給気用空気熱交換器３４に外気・還気の混合空気が通る外気混合空調、冷媒−熱源用空気熱交換器３５に外気が通って冷媒−給気用空気熱交換器３４にも外気が通るいわゆる外気冷房と呼ばれる換気空調、を各々選択できるように構成するも自由である。この外気などの熱源用空気を還気などの給気用空気に混合して、冷媒−給気用空気熱交換器３４で熱交換することで、外気処理専用空調機が不要となり、省エネで省コスト化を図れる。また、外気冷房ではヒートポンプを運転せずにすみ省エネとなる。
【００２２】
加湿器４５は給気側送風路３２内に設ける。蒸気は、蒸気発生器４６から加湿器４５へ送られて給気側送風路３２内に噴霧され、冷媒−給気用空気熱交換器３４を通った給気用空気に加湿が行われる。このように、蒸気方式の加湿器４５によって冬期の被空調空間Ｓの湿度制御が可能となり快適性が向上する。また、送風距離の長い給気側送風路３２の場合、蒸発吸収距離を十分にとることができるので、小型のＨＰ空調機３０でも飽和効率を高めることができて湿度制御範囲が広がり快適性が向上する。しかも、給気側送風路３２を加湿スペースに兼用するためＨＰ空調機３０の大型化とコストアップを防止できる。なお、蒸気発生器４６は機外、機内のいずれに設けるも自由で、加湿方式は図例以外の蒸気方式、気化方式、水噴霧方式などに構成変更自由である。また、冷媒−給気用空気熱交換器３４、冷媒−熱源用空気熱交換器３５、圧縮機３６などのヒートポンプ３７を構成する機器や給気用空気送風機３８、熱源用空気送風機３９の位置の変更は自由である。
【００２３】
図１〜図１０に示すように、誘引放射ユニット１は、ＨＰ空調機３０からの給気用空気を送り出す送気部１１と、誘引口１０を有しこれに送気部１１の給気用空気が吹き込まれることで被空調空間Ｓの空気を誘引混合して多数の開孔部９から被空調空間Ｓへ向かって放出する誘引混合放射ケース１６と、フード１３と、を備えている。この誘引混合放射ケース１６の内部に、誘引混合空気を分流させて整流状にして開孔部９を介して被空調空間Ｓへ案内すると共に誘引混合空気の熱を誘引混合放射ケース１６に熱伝導させて被空調空間Ｓへ熱放射させかつ開孔部９を通して被空調空間Ｓへ熱放射させる放射整流器２を、設ける。放射整流器２は、全体が扁平な矩形状で誘引混合放射ケース１６の少なくとも一面（図例では被空調空間Ｓに臨む側）と熱伝導自在に接触させる。
【００２４】
誘引放射ユニット１は、被空調空間Ｓの隅部Ｍに沿って設置され、隅部Ｍに沿って伸びる細長い全体形状を有し、この全体形状のうちで隅部Ｍに臨む面２０を凸状にしている。本発明において、隅部Ｍは、天井、壁、柱その他被空調空間Ｓに存在する物により構成される部分を全て含むものとする。図例は、天井Ｃと壁の隅部Ｍに誘引放射ユニット１を設置した場合を例示している。
【００２５】
放射整流器２は、熱伝導及び熱放射率の高い材質であって帯状の多数の伝熱板８…を所定ピッチで面対向させて設けると共に誘引混合空気が分流して伝熱板８、８の隙間を熱伝達しながら整流状に通過するように構成する。各伝熱板８…には、法線方向から複数の楕円状直管９９を間隔をあけて挿着し、この楕円状直管９９の楕円長軸が隅部Ｍから被空調空間Ｓに向くようにする。この楕円状直管９９にて放射整流器２の反りや撓みなどの変形を防止し補強できて安全性が高く、低圧損で誘引混合空気をスムーズに放出させることができ、空調機の送風動力削減を図れる。
【００２６】
誘引混合空気は、放射整流器２及び誘引混合放射ケース１６の部材抵抗により分流拡散しながら風速を落として伝熱板８、８の隙間を通過しながら整流状となり、誘引混合空気の熱を放射整流器２全域に均一に熱伝達する。開孔部９は、誘引混合放射ケース１６の被空調空間Ｓに臨む側の面９７の略全域に互いに間隔をあけて形成する。図例では開孔部９は長孔状となっているが、丸や他の形状とするも自由で、位置の変更も自由である。被空調空間Ｓへの放射整流器２及び誘引混合放射ケース１６の熱放射作用及び誘引混合空気放出による熱伝達作用を最大限に引き出すために、誘引混合放射ケース１６の面９７全体に対する開孔部９全体の総面積比は２〜３割以上に設定するのが好ましいが変更は自由である。誘引混合空気の分流拡散作用と整流通過作用と熱伝達作用を最適に機能させるために放射整流器２の空気入口側に対して空気出口側の風速が半分以下、好ましくは２０％〜３０％以下にダウンするように伝熱板８や開孔部９の形状や数、ピッチ等を設定構成する。
【００２７】
フード１３は、隅部Ｍに臨む凸状の面２０を有すると共にこの凸状面２０と対向し被空調空間Ｓに露出する開口部１４を有している。凸状面２０は、図例では二等辺三角形を成すような山形となっているが、その形状や構造の変更は自由で、例えば平らな形にしてもよい（図示省略）。フード１３の内部には、扁平な矩形状の誘引混合放射ケース１６を、これの周側面のうちのすくなくとも対向する二側面から誘引口１０までの範囲とフード１３及び送気部１１との間に誘引空気路用の間隔部１５を設けるようにして設置する。誘引混合放射ケース１６はフード１３に対して開閉又は着脱自在に構成する。図例では、誘引混合放射ケース１６の長辺（長手）方向の両横から誘引口１０に回り込むように間隔部１５を設けているが、短辺方向の両横からも回り込むようにし、四側面（全周）全部に間隔部を設けるなど変更は自由である。また、送気部１１の空気入口１８はフード１３の長手方向の一端面に設けているが、空気入口１８の位置や数の変更は自由である。
【００２８】
誘引混合放射ケース１６には、送気部１１の給気用空気が吹き込まれる誘引口１０を、間隔部１５を形成する対向二側面の中間の中央線Ｌに沿ってライン状に形成し、送気部１１に、給気用空気を吹出す吹出口１２を、誘引口１０に沿ってライン状に形成する。送気部１１は、風上から風下に向かって狭くなる漏斗状の仕切材１９、１９とフード１３で囲まれた部位にて構成されているが、送気部１１の形状、構造等の変更は自由で、例えばフード１３とは別個の部材と仕切材１９、１９で送気部１１を構成してもよい。送気部１１の内部空間は、吹出口１２の長辺方向の風上側から風下側へ向かって縮小させ、送気部１１に風向を調整する風向調整機構Ｇを設ける。図例では、送気部１１の内部を傾斜板１１ａで仕切って内部空間を縮小させているが、送気部１１自体を縮小させたり、その他の方法で縮小させてもよい。
【００２９】
風向調整機構Ｇは、給気用空気の気流方向と交わる方向に伸びる複数の小壁条部７を間隔をあけて設けて成る。風向調整機構Ｇがない場合、図８の点線の太矢印のように給気用空気が斜めに流れるが、風向調整機構Ｇの抵抗により図８の実線の太矢印のように送気部１１の長手方向と直交方向に風向きを調整することができる。この小壁条部７の幅と高さは変更自由である。
【００３０】
図１１に示すように、ライン状の吹出口１２の短辺側の間隙幅ＨＡを調整して吹出風速を変更自在な吹出幅調整機構Ａ、及び、ライン状の誘引口１０の短辺側の間隙幅ＨＢを調整して誘引風速を調整自在な誘引幅調整機構Ｂを、設ける。これにより、吹出風速及び／又は誘引風速を任意に変更でき、空調に最適な誘引空気混合比を選択でき、空調効率の向上をさらに図れる。吹出幅調整機構Ａは、吹出口１２の短辺側の間隙幅ＨＡを増減させる吹出口幅調整部材３と、吹出口幅調整部材３を着脱又はスライド自在に取付ける固定手段４と、を備え、誘引幅調整機構Ｂは、誘引口１０の短辺側の間隙幅ＨＢを増減させる誘引口幅調整部材５と、誘引口幅調整部材５を着脱又はスライド自在に取付ける固定手段６と、を備える。固定手段４、６は、一点鎖線で略して示すネジ等の公知の螺着部材等にて成る。図例では吹出口幅調整部材３と誘引口幅調整部材５は一対の折曲片を用いて構成しているが、形状、構造等の変更は自由である。空調に最適な誘引空気混合比の例をあげると、給気用空気吹出風量：誘引風量が約６：４であるが、設定変更は自由である。なお、吹出幅調整機構Ａと誘引幅調整機構Ｂの一方又は両方を省略するも自由である。
【００３１】
図９に示すように、給気用空気は、実線の太矢印のように送気部１１から吹出されて誘引混合放射ケース１６内に入ると吹出口１２と誘引口１０の間隙部が負圧となって、短い点線の太矢印のように被空調空間Ｓの空気を間隔部１５を介して誘引し、長い点線の太矢印のように誘引混合放射ケース１６内で混合しながら分流拡散して被空調空間Ｓへ整流状に放出される。これらを繰り返して被空調空間Ｓと誘引放射ユニットとの間で空気が対流循環し撹拌される。冷房時は被空調空間Ｓよりも温度が低い誘引混合空気と冷熱放射により空調し、暖房時は被空調空間Ｓよりも温度が高い誘引混合空気と温熱放射により空調する。給気用空気は、例えば結露防止や空調効率化のために、誘引混合された時点で被空調空間Ｓの露点温度より高温で絶対湿度が低くなるように設定するが、変更は自由である。
【００３２】
なお、図１２のように、各伝熱板８…に、その両端部まで複数の直管９９…を所定ピッチで挿着し、各直管９９の内部に、誘引混合空気の熱を直管９９を介して蓄熱する蓄熱体Ｔを設けてもよい。この蓄熱体Ｔによって放射整流器２全域の熱分布をより確実に均一化できるので、被空調空間の温度分布が良好となり、一層安定した快適空調が行える。蓄熱体Ｔは、蓄熱自在かつ熱伝導自在な材質であれば良く、固体、流体いずれを用いるも自由で、流体の場合は直管９９の内部に蓄熱体Ｔを封入する。なお、図例では直管９９は楕円状となっているが真円状としたり、図９の実施例において伝熱板８の直管９９を挿着していない部分の穴を省略してもよく、放射整流器２の形状、構造等の変更は自由である。
【００３３】
図１３と図１４は、前記各実施例において、放射整流器２の各伝熱板８に、法線方向（伝熱板８の平面に垂直な方向）に突出すると共に隣合う伝熱板８に接触乃至近接する短筒状の突起部９８を、長手方向へ所定ピッチで形成し、誘引混合放射ケース１６の所定又は全ての開孔部９と突起部９８とを対向させる。伝熱板８…を所定ピッチで面対向させて設けたとき、図例のように突起部９８の中心軸が、隣りの伝熱板８の突起部９８の中心軸と重なって、突起部９８…が直線状につらなるように配置する。
【００３４】
誘引混合放射ケース１６の開孔部９に、開孔部９を遮るように伝熱板８の突起部９８がつらなって位置するので、伝熱板８の長手方向への誘引混合空気の分流が促進されて、開孔部９へのバイパス（素通り）を確実に防止でき、誘引混合空気の熱を放射整流器２全域に均一に熱伝達することができる。なお、図例では突起部９８は楕円形としているが丸形や多角形など変更は自由である。この場合、熱放射は開孔部９から被空調空間Ｓに向かって放射状に進行する。同時に、突起部９８は誘引混合空気の分流促進効果も発揮する。このように突起部９８によって伝熱板８から被空調空間への熱放射が、誘引混合放射ケース１６の開孔部９を通って放射状に行われるので、広範囲に放射エネルギーを到達させることができ、被空調空間空気温度分布が一層均一化され、温度ムラのない快適空調が行える。
【００３５】
図１５と図１６は、誘引放射ユニット１を被空調空間Ｓの凹部Ｎに沿って設置した場合の実施例で、凹部Ｎに沿って伸びる細長い全体形状を有し、この全体形状のうちで凹部Ｎに臨む面２０を凸状にしている。フード１３は、凹部Ｎに臨む凸状の面２０を有すると共にこの凸状面２０と対向し被空調空間Ｓに露出する開口部１４を有している。その他の構成は前記実施例と同様であるので説明は省略する。本発明において、凹部Ｎは、壁、柱、天井その他被空調空間Ｓに存在する物により構成される部分を全て含むものとする。図例は、壁と柱の凹部Ｎと、柱と壁の隅部Ｍと、に各々誘引放射ユニット１を設置した場合を例示している。なお、誘引放射ユニット１の設置位置の変更は自由で図例に限定されるものではない。
【図面の簡単な説明】
【００３６】
【図１】空気熱源ヒートポンプ式空調装置の設置例を示す平面断面図である。
【図２】図１の縦断面図である。
【図３】ＨＰ空調機の平面図である。
【図４】誘引放射ユニットの設置状態を給気用空気の空気入口側から見た断面図である。
【図５】誘引放射ユニットの斜視図である。
【図６】誘引放射ユニットをフードの頂上側から見た図である。
【図７】誘引混合放射ケースの一部を破断させて誘引口側から見た図である。
【図８】図６のＸ方向から見た誘引放射ユニットの断面図である。
【図９】図６のＥ方向から見た誘引放射ユニットの断面図である。
【図１０】誘引放射ユニットの送気部の一部を破断させた斜視図である。
【図１１】図８のＦ方向から見た送気部と誘引混合放射ケースの要部断面図である。
【図１２】放射整流器の変形例を示す誘引混合放射ケースの断面図である。
【図１３】誘引混合放射ケースの変形例を開孔部の反対側から見た横断面図である。
【図１４】図１３のＪ方向から見た誘引混合放射ケースの要部断面図である。
【図１５】誘引放射ユニットの他の設置例を示す正面図である。
【図１６】図１５の平面断面図である。
【符号の説明】
【００３７】
１    誘引放射ユニット
２    放射整流器
８    伝熱板
９    開孔部
１０  誘引口
１１  送気部
１２  吹出口
１３  フード
１４  開口部
１５  間隔部
１６  誘引混合放射ケース
２０  面
３０  ＨＰ空調機
３１  ケーシング
３４  冷媒−給気用空気熱交換器
３５  冷媒−熱源用空気熱交換器
３６  圧縮機
３７  ヒートポンプ
５１  排気ダクト
Ｍ    隅部
Ｎ    凹部
Ｇ    風向調整機構
Ｌ    中央線
Ｓ    被空調空間
【図１】
2012007766.tif 000003
【図２】
2012007766.tif 000004
【図３】
2012007766.tif 000005
【図４】
2012007766.tif 000006
【図５】
2012007766.tif 000007
【図６】
2012007766.tif 000008
【図７】
2012007766.tif 000009
【図８】
2012007766.tif 000010
【図９】
2012007766.tif 000011
【図１０】
2012007766.tif 000012
【図１１】
2012007766.tif 000013
【図１２】
2012007766.tif 000014
【図１３】
2012007766.tif 000015
【図１４】
2012007766.tif 000016
【図１５】
2012007766.tif 000017
【図１６】
2012007766.tif 000018